(57)【要約】      （修正有）【課題】金融情報の安全監視制御設備に適用され、複数の命令や暗号化を援助でき、構造が簡単でありながら、安全制御効果が優れるマルチインターフェースのハードウェアセキュリティモジュールを提供する。【解決手段】ファームウェア６１と、演算法モジュール６２と、外部システム８に命令を供する変換器６３とを備えた安全監視制御設備６に接続器１１を介して接続され、該演算法モジュール６２により提供される演算法で演算する演算器１と、上記演算器１に接続される記憶装置２とを備える。上記演算器１に接続され、上記安全監視制御設備６に合わせて上記ファームウェア６１にデーターがコピーされる認証装置３と、上記演算器１に接続され、セットされたカード７の情報を読み取るリーダー４と、から構成する。【選択図】図４
0003181133.tif 000002
【実用新案登録請求の範囲】
【請求項１】
演算器と、
演算器に接続される記憶装置と、
演算器に接続される認証装置と、
演算器に接続されるリーダーと、
が含有されることを特徴とするマルチインターフェースのハードウェアセキュリティモジュール。
【請求項２】
上記らの演算器と記憶装置、暗号化素子及びリーダーがケーシングに設置され、上記ケーシングに多数の放熱穴が設けられ、上記ケーシングの一面に取っ手部が設けられることを特徴とする請求項１に記載のマルチインターフェースのハードウェアセキュリティモジュール。
【請求項３】
上記演算器に、更に、多数のケーシングの一面に設けられた接続器が接続されていることを特徴とする請求項２に記載のマルチインターフェースのハードウェアセキュリティモジュール。
【請求項４】
上記演算器が中央演算処理装置（CPU）であることを特徴とする請求項１に記載のマルチインターフェースのハードウェアセキュリティモジュール。
【請求項５】
上記記憶装置がフラッシュメモリであることを特徴とする請求項１に記載のマルチインターフェースのハードウェアセキュリティモジュール。
【請求項６】
上記認証装置が暗号化カードであることを特徴とする請求項１に記載のマルチインターフェースのハードウェアセキュリティモジュール。
【請求項７】
上記リーダーがカード読み取り装置であることを特徴とする請求項１に記載のマルチインターフェースのハードウェアセキュリティモジュール。
【考案の詳細な説明】
【技術分野】
【０００１】
本考案は、マルチインターフェースのハードウェアセキュリティモジュールに関し、特に、金融情報の安全監視制御設備に適用され、複数の命令や暗号化を援助でき、構造が簡単でありながら、安全制御効果が優れるものに関する。
【背景技術】
【０００２】
一般の、金融情報のセキュリティモジュールは、使用する時、単一の命令セットを援助でき（即ち、一つのセキュリティモジュールが、一つだけの命令セットを援助する）、そのため、外部システムに、複数の命令セットを援助することが必要である場合、上記セキュリティモジュールは、使用できなくなり、実用上に、複数のセキュリティモジュールを購入して複数の命令セットに対して使用し、これにより、システムが複雑化になるし、成本が高くなる。
【０００３】
本考案者は、従来の諸欠点を解消するため、慎重に研究し、また、学理を活用して、一つのハードウェアセキュリティモジュールで複数の命令に利用されることができ、有効に、従来の欠点を解消できるマルチインターフェースのハードウェアセキュリティモジュールを提案する。
【考案の開示】
【考案が解決しようとする課題】
【０００４】
本考案の主な目的は、金融情報の安全監視制御設備に適用され、複数の命令や暗号化を援助でき、構造が簡単でありながら、安全制御効果が優れるマルチインターフェースのハードウェアセキュリティモジュールを提供する。
【課題を解決するための手段】
【０００５】
本考案は、上記の目的を達成するためのマルチインターフェースのハードウェアセキュリティモジュールであり、演算器と、演算器に接続される記憶装置と、演算器に接続される認証装置と、演算器に接続されるリーダーとが、含有される。
【０００６】
本考案の一つの実施例において、上記らの演算器や記憶装置、暗号化素子及びリーダーが、ケーシングに設置され、上記ケーシングには、多数の放熱穴が設けられ、上記ケーシングの一面に、取っ手部が設けられる。
【０００７】
本考案の一つの実施例において、上記演算器には、更に、多数のケーシングの一面に設けられた接続器が接続されている。
【０００８】
本考案の一つの実施例において、上記演算器は、中央演算処理装置（CPU）である。
【０００９】
本考案の一つの実施例において、上記記憶装置は、フラッシュメモリである。
【００１０】
本考案の一つの実施例において、上記認証装置は、暗号化カードである。
【００１１】
本考案の一つの実施例において、上記リーダーは、カード読み取り装置である。
【００１２】
以下、図面を参照しながら、本考案の特徴や技術内容について、詳しく説明するが、それらの図面等は、参考や説明のためであり、本考案は、それによって制限されることが無い。
【図面の簡単な説明】
【００１３】
【図１】本考案の基本構成概念図である。
【図２】本考案のブロック概念図である。
【図３】本考案の使用状態概念図である。
【図４】本考案の使用状態のブロック概念図である。
【考案を実施するための形態】
【００１４】
図１と図２は、それぞれ、本考案の基本構成概念図と本考案のブロック概念図である。図のように、本考案に係るマルチインターフェースのハードウェアセキュリティモジュールは、少なくとも、演算器１や記憶装置２、認証装置３及びリーダー４から構成され、上記演算器１と記憶装置２、暗号化素子３及びリーダー４は、ケーシング５に設置され、上記ケーシング５に、多数の放熱穴５１が設けられ、また、上記ケーシング５の一面に、取っ手部５２が設けられる。
【００１５】
上記演算器１は、中央演算処理装置（CPU）であり、上記演算器１は、更に、多数のケーシング５の一面に設けられた接続器１１が接続されている。
【００１６】
上記記憶装置２は、演算器１に接続され、フラッシュメモリである。
【００１７】
上記認証装置３は、演算器１に接続され、暗号化カードであり、上記リーダー４は、演算器１に接続され、カード読み取り装置である。
【００１８】
このように、上記の考案により、新規のマルチインターフェースのハードウェアセキュリティモジュールが構成される。
【００１９】
図３と図４は、それぞれ、本考案の使用状態の概念図と本考案の使用状態のブロック概念図である。図のように、本考案によれば、接続器１１によって、金融情報の安全監視制御設備６に接続され、ユーザーが、カード７（例えば、キャッシュカードやクレジットカード、暗号カード或いは他の金融情報カードである）を、リーダー４にセットすると、演算器１や記憶装置２及び認証装置３で、関係する金融情報の安全監視制御設備６に合わせって、認証装置３が、ファームウェア６１に連結され、認証装置３のデーターが、ファームウェアにコピーされ、その後、ファームウェア６１は、演算法モジュール６２による対称式や非対称式のエンコーディング−デコードの演算法が提供され、演算法モジュール６２で演算する時、カード７の情報に基づいて、IBM命令セット６２１やRG命令セット６２２或いはPKCS命令セット６２３で演算する、その後、IBM命令セット６２１やRG命令セット６２２及びPKCS命令セット６２３に基づいて、必要とする変換器６３に接続され、更に、変換器６３により、IBM命令セット６２１やRG命令セット６２２或いはPKCS命令セット６２３に従って、外部の金融システム８へ、関連する命令を供し、これにより、本考案は、多命令セットのハードウェアセキュリティモジュールが実現され、有効に、何れかの侵入経路を断絶でき、厳密にデーター伝送の安全性を監視でき、個人的なデーターが、盗まれや書き直されることを防止でき、そして、財務金融のインターバンク取引や財務金融為替取組み取引、インターネットバンキング、WebATM、自動応答（IVR）、クレジットカード授権、引き受け／ボーナスポイント及び他の金融取引に適用される。
【００２０】
以上のように、本考案に係るマルチインターフェースのハードウェアセキュリティモジュールは、有効に、従来の諸欠点を解消でき、金融情報の安全監視制御設備を利用して、複数の命令や暗号化を援助でき、構造が簡単でありながら、安全制御効果が優れ、そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２２】
１      演算器
１１    接続器
２      記憶装置
３      認証装置
４      リーダー
５      ケーシング
５１    放熱穴
５２    取っ手部
６      安全監視制御設備
６１    ファームウェア
６２    演算法モジュール
６２１  IBM命令セット
６２２  RG命令セット
６２３  PKCS命令セット
６３    変換器
７      カード
８      外部金融システム
【図１】
0003181133.tif 000003
【図２】
0003181133.tif 000004
【図３】
0003181133.tif 000005
【図４】
0003181133.tif 000006
【手続補正書】
【提出日】平成24年11月27日(2012.11.27)
【手続補正１】
【補正対象書類名】実用新案登録請求の範囲
【補正対象項目名】全文
【補正方法】変更
【補正の内容】
【実用新案登録請求の範囲】
【請求項１】
ファームウェア（６１）と、演算法モジュール（６２）と、外部システム（８）に命令を供する変換器（６３）とを備えた安全監視制御設備（６）に接続器（１１）を介して接続され、該演算法モジュール（６２）により提供される演算法で演算する演算器（１）と、
上記演算器（１）に接続される記憶装置（２）と、
上記演算器（１）に接続され、上記安全監視制御設備（６）に合わせて上記ファームウェア（６１）にデーターがコピーされる認証装置（３）と、
上記演算器（１）に接続され、セットされたカード（７）の情報を読み取るリーダー（４）と、
から構成されることを特徴とするマルチインターフェースのハードウェアセキュリティモジュール。
【請求項２】
上記演算器（１）と上記記憶装置（２）、上記認証装置（３）及び上記リーダー（４）がケーシング（５）に設置され、上記ケーシング（５）に多数の放熱穴（５１）が設けられ、上記ケーシング（５）の一面に取っ手部（５２）が設けられることを特徴とする請求項１に記載のマルチインターフェースのハードウェアセキュリティモジュール。
【請求項３】
上記演算器（１）に、更に、多数のケーシング（５）の一面に設けられた接続器（１１）が接続されていることを特徴とする請求項２に記載のマルチインターフェースのハードウェアセキュリティモジュール。
【請求項４】
上記演算器（１）が中央演算処理装置（CPU）であることを特徴とする請求項１に記載のマルチインターフェースのハードウェアセキュリティモジュール。
【請求項５】
上記記憶装置（２）がフラッシュメモリであることを特徴とする請求項１に記載のマルチインターフェースのハードウェアセキュリティモジュール。
【請求項６】
上記認証装置（３）が暗号化カードであることを特徴とする請求項１に記載のマルチインターフェースのハードウェアセキュリティモジュール。
【請求項７】
上記リーダー（４）がカード読み取り装置であることを特徴とする請求項１に記載のマルチインターフェースのハードウェアセキュリティモジュール。